(57)【要約】【課題】前面ファンガード及び後面ファンガードを着脱自在としてメンテナンス性の向上を図るばかりでなく、これらを取り外したときは、当該除電器の運転を停止し、取り付けたときはこれらを接地することにより、安全性を充分に確保できるようにする。【解決手段】本体１の枠部４の前面及び後面に、前面ファンガード１０Ａ及び後面ファンガード１０Ｂをそれぞれ着脱自在に保持するファンガード保持部２３ａ〜２３ｄと、第１及び第２の接地用接触端子２４・２５をそれぞれ設け、これら前面ファンガード及び後面ファンガードの裏面に、第１及び第２の接地用接触端子を電気的に導通させる導電板を付設する。これら第１及び第２の接地用接触端子が導通してグランド接続となったときはファン駆動回路及び高電圧発生回路をオンにでき、第１及び第２の接地用接触端子が不導通となったときはファン駆動回路及び高電圧発生回路をオフにする制御回路を備える。【選択図】図３
2008176961.tif 000002
【特許請求の範囲】
【請求項１】
ファン駆動回路により駆動されるファン、及び高電圧発生回路により高電圧を印加される放電電極を本体の枠部の内側に設けるとともに、本体の枠部の前後に網状の前面ファンガード及び後面ファンガードを取り付け、放電電極の放電により生じたイオンをファンによる送風によって送り出す送風型除電器において、前記本体の枠部の前面及び後面に、前記前面ファンガード及び後面ファンガードをそれぞれ着脱自在に保持するファンガード保持部と、第１及び第２の接地用接触端子をそれぞれ設け、これら前面ファンガード及び後面ファンガードの裏面に、前記第１及び第２の接地用接触端子を電気的に導通させる導電板を付設し、また、これら第１及び第２の接地用接触端子が導通してグランド接続となったときは前記ファン駆動回路及び高電圧発生回路をオンにでき、第１及び第２の接地用接触端子が不導通となったときはファン駆動回路及び高電圧発生回路をオフにする制御回路を備えたことを特徴とする送風型除電器。
【請求項２】
前面ファンガード及び後面ファンガードのそれぞれにおいて、導電板を金網と電気導通状態にしたことを特徴とする請求項１に記載の送風型除電器。
【請求項３】
第１及び第２の接地用接触端子を板バネ状としてその少なくとも一方にストッパ孔を設け、前面ファンガード及び後面ファンガードの導電板に、前面ファンガード及び後面ファンガードの着脱に伴いこのストッパ孔に嵌脱自在に嵌合するストッパ突起を設けたことを特徴とする請求項１又は２に記載の送風型除電器。
【請求項４】
本体の枠部の前面及び後面のそれぞれにおいて、ファンガード保持部を有する左右の突縁部が形成され、これら左右の突縁部に沿って前面ファンガード及び後面ファンガードを上下に摺動させることにより、前面ファンガード及び後面ファンガードがファンガード保持部との凹凸嵌合により着脱自在となっていることを特徴とする請求項１、２又は３に記載の送風型除電器。
【請求項５】
本体の左右側面に本体側フェースギア、及びその中央にネジ孔を設け、スタンドの左右の起立部の上端に、本体側フェースギアと噛み合うスタンド側フェースギア、及びその中央に貫通孔を設け、この貫通孔に調整ノブのネジ軸を貫通させて前記ネジ孔に螺合させることにより、本体をスタンドの左右の起立部間に架設したことを特徴とする請求項１、２、３又は４に記載の送風型除電器。
【請求項６】
調整ノブのネジ軸に、貫通孔からの抜脱を阻止する抜け止め部材を設けたことを特徴とする請求項５に記載の送風型除電器。
【発明の詳細な説明】
【技術分野】
【０００１】
本発明は、放電電極の放電により生じたイオンをファンによる送風によって送り出して除電する送風型除電器に関する。
【背景技術】
【０００２】
この種の除電器であって、スタンドに架設された本体の枠部の内側に、ファン及び放電電極を設けるとともに、本体の枠部の前後に網状の前面ファンガード及び後面ファンガードを設置した構造のものは、例えば、特許文献１（特開２００６−１９６３８０号公報）、特許文献２（特開２００５−２１６５３９号公報）及び特許文献３（特開２００５−３４７２７０号公報）等で公知である。
【０００３】
このうち、特許文献１に記載のものでは、前面ファンガードである着脱ルーバを、ケース本体の正面の開口部に着脱自在に装着できるようにしているが、その着脱に伴う安全性については何らの配慮もされていない。
【特許文献１】特開２００６−１９６３８０号公報
【特許文献２】特開２００５−２１６５３９号公報
【特許文献３】特開２００５−３４７２７０号公報
【発明の開示】
【発明が解決しようとする課題】
【０００４】
本発明の第1の課題は、前面ファンガード及び後面ファンガードを着脱自在としてメンテナンス性の向上を図るばかりでなく、これら前面ファンガード及び後面ファンガードを取り外したときは、当該除電器の運転を停止し、取り付けたときはこれらを接地することにより、安全性を充分に確保できるようにすることにある。
【０００５】
第２の課題は、本体の向き（送風する向き）を簡単な構造で多段階に調整できるようにすること、さらに、その調整ノブの紛失を防止できるようにすることにある。
【課題を解決するための手段】
【０００６】
本発明は、ファン駆動回路により駆動されるファン、及び高電圧発生回路により高電圧を印加される放電電極を本体の枠部の内側に設けるとともに、本体の枠部の前後に網状の前面ファンガード及び後面ファンガードを取り付け、放電電極の放電により生じたイオンをファンによる送風によって送り出す送風型除電器であって、請求項１に係る発明は、上記第１の課題を達成するため、本体の枠部の前面及び後面に、前面ファンガード及び後面ファンガードをそれぞれ着脱自在に保持するファンガード保持部と、第１及び第２の接地用接触端子をそれぞれ設け、これら前面ファンガード及び後面ファンガードの裏面に、第１及び第２の接地用接触端子を電気的に導通させる導電板を付設し、また、これら第１及び第２の接地用接触端子が導通してグランド接続となったときはファン駆動回路及び高電圧発生回路をオン、第１及び第２の接地用接触端子が不導通となったときはファン駆動回路及び高電圧発生回路をオフにする制御回路を備えたことを特徴とする。
【０００７】
請求項２に係る発明は、安全性を高めるため、前面ファンガード及び後面ファンガードのそれぞれにおいて、導電板を金網と電気導通状態にしたことを特徴とする。
【０００８】
請求項３に係る発明は、前面ファンガード及び後面ファンガードの取り付け時の安定性を確保するため、第１及び第２の接地用接触端子を板バネ状としてその少なくとも一方にストッパ孔を設け、前面ファンガード及び後面ファンガードの導電板に、前面ファンガード及び後面ファンガードの着脱に伴いこのストッパ孔に嵌脱自在に嵌合するストッパ突起を設けたことを特徴とする。
【０００９】
請求項４に係る発明は、前面ファンガード及び後面ファンガードの着脱を容易にするため、本体の枠部の前面及び後面のそれぞれにおいて、その左右の辺縁にファンガード保持部を有する左右の突縁部が形成され、これら左右の突縁部に沿って前面ファンガード及び後面ファンガードを上下に摺動させることにより、前面ファンガード及び後面ファンガードがファンガード保持部に対し着脱自在となっていることを特徴とする。
【００１０】
請求項５に係る発明は、上記第２の課題を達成するため、本体の左右側面に本体側フェースギア、及びその中央にネジ孔を設け、スタンドの左右の起立部の上端に、本体側フェースギアと噛み合うスタンド側フェースギア、及びその中央に貫通孔を設け、この貫通孔に調整ノブのネジ軸を貫通させてネジ孔に螺合させることにより、本体をスタンドの左右の起立部間に架設したことを特徴とする。
【００１１】
請求項６に係る発明は、調整ノブの紛失防止のため、調整ノブのネジ軸に、貫通孔からの抜脱を阻止するストッパを設けたことを特徴とする。
【発明の効果】
【００１２】
請求項１に係る発明によれば、前面ファンガード及び後面ファンガードを本体に取り付けたときは、これらが接地されるととともに、ファン駆動回路及び高電圧発生回路をオンにでき、取り外したときには、ファン駆動回路及び高電圧発生回路をオフにするので、安全性を充分に確保できる。
【００１３】
請求項２に係る発明によれば、前面ファンガード及び後面ファンガードの金網を接地状態にできるので、安全性を高めることができる。
【００１４】
請求項３に係る発明によれば、前面ファンガード及び後面ファンガードのそれぞれを本体に取り付けたとき、その裏面の導電板に設けたストッパ突起が、板バネ状の接地用端子に設けたストッパ孔に嵌合するので、前面ファンガード及び後面ファンガードの着脱の容易性を維持しながら、これらを安定した取り付け状態にできる。
【００１５】
請求項４に係る発明によれば、前面ファンガード及び後面ファンガードのそれぞれを左右の突縁部に沿って上下に摺動させることにより、これら左右の突縁部に形成されたファンガード保持部との凹凸嵌合により着脱自在となっているので、前面ファンガード及び後面ファンガードの着脱が容易である。
【００１６】
請求項５に係る発明によれば、調整ノブを回してスタンド側フェースギアを本体側フェースギアに噛み合わせた状態で緊締することにより、本体をスタンドに対し任意の角度で架設できるので、送風の向きを多段階に容易に調整できる。
【００１７】
請求項６に係る発明によれば、調整ノブに抜け止め部材を設けたので、調整ノブの紛失を防止できる。
【発明を実施するための最良の形態】
【００１８】
次に、本発明の実施例を図面に基づいて詳細に説明する。
【実施例】
【００１９】
図１及び図２に示すように、この送風型除電器は、樹脂製の前後の本体ケース１ａ・１ｂからなる箱形の本体１を、スタンド２の左右の起立部２ａ・２ｂの上端間に左右一対の調整ノブ３Ａ・３Ｂにより着脱可能に架設し、本体１の角度を左右の調整ノブ３Ａ・３Ｂにより多段階に調整できるようになっている。
【００２０】
本体１は、図３に示すように、前後面がほぼ八角形に開口した枠部４と、その下側の回路ボックス部５とを前後の本体ケース１ａ・１ｂにより形成し、枠部４の内側に、モータ付きファン６を複数のリブ７により保持するとともに、枠部４のほぼ八角形の内周面に、プラス・マイナス複数対の針状放電電極８を植設し、回路ボックス部５内に、電源回路やファン駆動回路や高電圧発生回路や制御回路などを内蔵している。
【００２１】
枠部４の前面及び後面には、その左右の辺縁及び下辺縁に、左右の突縁部９ａ・９ｂと下突縁部９ｃとが連続して一体に突出形成され、枠部４の前面及び後面のそれぞれにおいて、前面ファンガード１０Ａ及び後面ファンガード１０Ｂがこれらの突縁部９ａ・９ｂ・９ｃ間に嵌合させて着脱自在に取り付けられている。
【００２２】
前面ファンガード１０Ａと後面ファンガード１０Ｂは全く同じ構造で、樹脂製の板状枠体１１の枠内に金網１２を取り付けたものである。その枠体１１の外周形状は、本体１の突縁部９ａ・９ｂ・９ｃ間に嵌合する大きさの方形、内周形状は本体１のほぼ八角形の開口に一致するほぼ八角形となっている。
【００２３】
金網１２は、図４に示すように、Ｖ形に折り曲げた一対の金属支持棒１３ａ・１３ｂに直径が異なる複数の金属リング１４を張設したもので、一対の金属支持棒１３ａ・１３ｂのそれぞれの両端部を、枠体１１の裏面の凹部１５内においてネジ止めしてある。その左右上下の４箇所でネジ止めするネジ孔を形成するために、枠体１１の四隅には、球面状に突出する隆起部１６が前面に形成され、これら隆起部１６は、前面ファンガード１０Ａ及び後面ファンガード１０Ｂを本体１に対して着脱する際の指掛け部としても機能するようになっている。
【００２４】
また、金網１２の下側左右でのネジ止めの際に、横長の導電板１７が枠体１１の裏面に同時にネジ止めされている。この導電板１７の中央には、ストッパ突起１７ａが一体に突出形成されている。
【００２５】
さらに、枠体１１の左右の辺縁の上下端部には、その肉厚のほぼ半分までを欠如することにより、左右上下の小凹部１８ａ・１８ｂ・１８ｃ・１８ｄと、残った左右上下の小凸部１９ａ・１９ｂ・１９ｃ・１９ｄとが形成され、さらに左右の辺縁のそれぞれに、肉厚の全部を欠如した左右の案内凹部２０ａ・２０ｂが、上側の左右の小凹部１８ａ・１８ｂとそれぞれ連続して形成されている。従って、小凹部１８ａ・１８ｂ・１８ｃ・１８ｄ及び小凸部１９ａ・１９ｂ・１９ｃ・１９ｄは、全体では枠体１１の左右上下の四隅に形成され、案内凹部２０ａ・２０ｂは上側の左右に形成されていることになる。
【００２６】
一方、本体１の枠部４の前面及び後面のそれぞれにおいて、左右の突縁部９ａ・９ｂの上下端部には、その厚さを部分的に厚くする左右上下の小凸部２１ａ・２１ｂ・２１ｃ・２１ｄと、そのそれぞれの内側に上端を開放して形成される左右上下の小凹部２２ａ・２２ｂ・２２ｃ・２２ｄとによって、左右上下のファンガード保持部２３ａ・２３ｂ・２３ｃ・２３ｄが形成されている。
【００２７】
また、本体１の枠部４の前面及び後面のそれぞれにおいて、その下側中央には、金属板片による板バネ状の第１の接地用接触端子２４が付設されているとともに、これより左方又は右方に離れたところに、同じく金属板片による板バネ状の第２の接地用接触端子２５が付設されている。第１の接地用接触端子２４の上端部は、枠部４の内側へ向かって斜めに折り曲げられ、また、第１の接触端子２４の中央にはストッパ孔２６が設けられている。さらに、第１の接地用接触端子２４は、回路ボックス部５の外面に設けられた接地線接続口２７の内側まで下側に延びて、この接地線接続口２７を通じて外部へ接地できるようになっている。第２の接地用接触端子２５は、枠部４に形成された凹部２８から下端部が突出するように、この凹部２８内に斜めに設置され、回路ボックス部５内の回路と電気接続されている。
【００２８】
このように、前面ファンガード１０Ａに対して本体１の前面側、後面ファンガード１０Ｂに対して本体１の後面側は、それぞれ同じような対応構造になっているので、前面ファンガード１０Ａ及び後面ファンガード１０Ｂを本体１に取り付けるには、図５に示すように、その枠体１１の左右の案内凹部２０ａ・２０ｂを本体１側の左右の小凸部２１ａ・２１ｂに合わせておいて、前面ファンガード１０Ａ及び後面ファンガード１０Ｂのそれぞれを、図６に示すように、本体１側の左右の突縁部９ａ・９ｂに沿って下辺の突縁部９ｃまで下側へ摺動させる。その際、隆起部１６に指を掛けて押し付けながら下側へ摺動させると、それぞれの枠体１１の左右上下の小凸部１９ａ・１９ｂ・１９ｃ・１９ｄが、本体１側の左右上下の小凹部２２ａ・２２ｂ・２２ｃ・２２ｄの上端からその中に入り込んで、本体１側の左右上下の２１ａ・２１ｂ・２１ｃ・２１ｄの内側でこれらと係合し、前面ファンガード１０Ａ及び後面ファンガード１０Ｂのそれぞれが、本体１側の左右上下のファンガード保持部２３ａ・２３ｂ・２３ｃ・２３ｄに保持される。
【００２９】
このとき、前面ファンガード１０Ａ及び後面ファンガード１０Ｂのそれぞれにおいて、その導電板１７のストッパ突起１７ａが、図７及び図８に示すように、本体１側の第１の接地用接触端子２４のストッパ孔２６と嵌合し、この接地用接触端子２４が板バネ状であることにより、その嵌合がバネの復元力で保持されるため、前面ファンガード１０Ａ及び後面ファンガード１０Ｂは、左右上下のファンガード保持部２３ａ・２３ｂ・２３ｃ・２３ｄからの不用意な離脱を阻止される。また、導電板１７が、図９に示すように本体１側の第２の接地用接触端子２５にそのバネ力により圧接し、この導電板１７を介して第１の接地用接触端子２４と第２の接地用接触端子２５とが電気的に導通される。
【００３０】
一方、前面ファンガード１０Ａ及び後面ファンガード１０Ｂのそれぞれを本体１から取り外すには、その隆起部１６に指を掛けて左右の突縁部９ａ・９ｂに沿って上側へ摺動させるように持ち上げると、左右上下の小凸部１９ａ・１９ｂ・１９ｃ・１９ｄが、本体１側の左右上下の２１ａ・２１ｂ・２１ｃ・２１ｄから外れるので、前面ファンガード１０Ａ及び後面ファンガード１０Ｂの着脱をワンタッチで容易に行える。
【００３１】
本体１の枠部４のほぼ八角形の内周面には、前述のようにプラス・マイナス複数対の針状放電電極８が植設され、回路ボックス部５内の高電圧発生回路にて直流の高電圧を印加されて放電するようになっている。その放電により生じたプラス・マイナスのイオンはファン６による送風によって前方へ送り出される。
【００３２】
次に、左右の調整ノブ３Ａ・３Ｂによる本体１の角度調整機構について説明する。
本体１の左右側面には、右側しか図示していないが、左右それぞれ本体側フェースギア３０が円環状に一体形成され、その中央にネジ孔３１が設けられている。
【００３３】
一方、スタンド２の左右の起立部２ａ・２ｂには、左右それぞれ、スタンド側フェースギア３２を円環状に形成した樹脂製のギア円板３３が、樹脂製のギアホルダ３４とで起立部２ａ・２ｂの上端部を挟持するようにして、起立部２ａ・２ｂの上端に固着されている。左右の調整ノブ３Ａ・３Ｂは、図１０に右側のものを示すようにネジ軸３５を突設しており、このネジ軸３５をギア円板３３及びギアホルダ３４の貫通孔３６に貫通させ、このネジ軸３５の外周に嵌着した抜け止め部材（Ｃ形の抜け止めワッシャ）３７により、貫通孔３６からの抜出を防止している。
【００３４】
そして、左右の調整ノブ３Ａ・３Ｂは、そのネジ軸３５を本体１の左右側面のネジ孔３１にそれぞれ螺合させることにより、本体１をスタンド２の左右の起立部２ａ・２ｂ間に取り外し可能に架設し、しかも、本体側フェースギア３０とスタンド側フェースギア３２とを噛み合わせて緊締することにより、本体１の角度を多段階に調整できるようになっている。
【００３５】
次に、電気的構成について説明する。
前面ファンガード１０Ａ及び後面ファンガード１０Ｂを本体１に取り付けると、前述のように、前面及び後面のそれぞれにおいて、本体１側の第１の接地用接触端子２４と第２の接地用接触端子２５とが導電板１７を介して電気的に導通し、グランド接続となる。これにより、前面ファンガード１０Ａ及び後面ファンガード１０Ｂの金網１２も接地される。
【００３６】
このようにして第１の接地用接触端子２４と第２の接地用接触端子２５とが、前面及び後面の双方で導通してグランド接続となっていると、図１１において、電源スイッチ３８をオンにすれば、リレー３９がオンとなって、その接点３９ａが閉じ、電源回路４０からファン駆動回路４１及び高電圧発生回路４２に電源供給され、ファン６が駆動するとともに、プラス・マイナスの放電電極８にプラス・マイナスの直流高電圧が印加される。ファン６が駆動していればファンモニタランプ４３が点灯し、放電電極８が汚れて高電圧発生回路４２における放電電流が閾値以下になれば、クリーニング警告ランプ４４が点灯する。電源スイッチ３８、ファンモニタランプ４３及びクリーニング警告ランプ４４は本体１の回路ボックス部５の前面に配設されている。
【００３７】
前面ファンガード１０Ａ又は後面ファンガード１０Ｂのいずれかが本体１から取り外されると、第１の接地用接触端子２４と第２の接地用接触端子２５との間が不導通となってリレー３９がオフになるため、ファン駆動回路４１及び高電圧発生回路４２への電源供給が遮断され、ファン６が停止するとともに、放電電極２９への高電圧印加も停止する。
【００３８】
なお、図示していないが、ファン６の回転速度を手動で調整することができるファンスピード調整ボリューム、及び、プラス・マイナスのイオンバランスのために、プラス・マイナスの放電電極２９に印加する電圧を手動で調整することができるイオンバランス調整ボリュームも備えられている。
【図面の簡単な説明】
【００３９】
【図１】本発明の一実施例の送風型除電器の斜視図である。
【図２】その本体とスタンドとを分離した斜視図である。
【図３】本体から前面ファンガードを取り外したこれらの斜視図である。
【図４】前面ファンガード（後面ファンガード）の背面図である。
【図５】前面ファンガードを本体に取り付ける過程を示すこれらの斜視図である。
【図６】同様の斜視図である。
【図７】前面ファンガードの導電板と本体側の第１の接地用接触端子との関係を示す断面図で、前者のストッパ突起が後者のストッパ孔に嵌合する前の状態である。
【図８】ストッパ突起がストッパ孔に嵌合した状態の断面図である。
【図９】前面ファンガードの導電板と本体側の第２の接地用接触端子との関係を示す断面図である。
【図１０】調整ノブによる本体の角度調整機構の断面図である。
【図１１】電気的構成の概要を示すブロック図である。
【符号の説明】
【００４０】
１  本体
１ａ・１ｂ  本体ケース
２  スタンド
２ａ・２ｂ  左右の起立部
３Ａ・３Ｂ  調整ノブ
４  枠部
５  回路ボックス部
６  ファン
７  リブ
８  放電電極
９ａ・９ｂ・９ｃ  突縁部
１０Ａ  前面ファンガード
１０Ｂ  後面ファンガード
１１  枠体
１２  金網
１３ａ・１３ｂ  金属支持棒
１４  金属リング
１５  凹部
１６  隆起部
１７  導電板
１７ａ  ストッパ突起
１８ａ・１８ｂ・１８ｃ・１８ｄ  小凹部
１９ａ・１９ｂ・１９ｃ・１９ｄ  小凸部
２０ａ・２０ｂ  案内凹部
２１ａ・２１ｂ・２１ｃ・２１ｄ  小凸部
２２ａ・２２ｂ・２２ｃ・２２ｄ  小凹部
２３ａ・２３ｂ・２３ｃ・２３ｄ  ファンガード保持部
２４  第１の接地用接触端子
２５  第２の接地用接触端子
２６  ストッパ孔
２７  接地線接続口
２８  凹部
３０  本体側フェースギア
３１  ネジ孔
３２  スタンド側フェースギア
３３  ギア円板
３４  ギアホルダ
３５  ネジ軸
３６  貫通孔
３７  抜け止め部材
３８  電源スイッチ
３９ａ  接点
４０  電源回路
４１  ファン駆動回路
４２  高電圧発生回路
４３  ファンモニタランプ
４４  クリーニング警告ランプ
【図１】
2008176961.tif 000003
【図２】
2008176961.tif 000004
【図３】
2008176961.tif 000005
【図４】
2008176961.tif 000006
【図５】
2008176961.tif 000007
【図６】
2008176961.tif 000008
【図７】
2008176961.tif 000009
【図８】
2008176961.tif 000010
【図９】
2008176961.tif 000011
【図１０】
2008176961.tif 000012
【図１１】
2008176961.tif 000013